(57)【要約】【課題】  床材を、しっかりとした固定状態にして設置することができると共に、容易に取外し可能な状態にすることができ、また、廃材の発生を減少することができてリフォームをコスト的に有利に行うことができる床の構造等を提供する。【解決手段】  多数本の角材１…が横向きで並列状態に並べられ、これら角材１…が、個々に固定されることなく、金具２…で両側から締め合わされることにより固定されており、該金具２…を緩めることによって各角材１…を固定状態からフリーにすることができるようになされている。また、各角材１…の周囲四面のうちの少なくとも二面が床仕上げ面からなっていて、該床仕上げ面のうちの少なくとも二面が同じ床仕上げ面からなっていたり、床仕上げ面のうちの少なくとも二面が異なる床仕上げ面からなっていたりする。【選択図】      図１
2005105615.tif 000002
【特許請求の範囲】
【請求項１】
多数本の角材が横向きで並列状態に並べられ、これら角材が、個々に固定されることなく、金具で両側から締め合わされることにより固定されており、該金具を緩めることによって各角材を固定状態からフリーにすることができるようになされていることを特徴とする床の構造。
【請求項２】
前記各角材の周囲四面のうちの少なくとも二面が床仕上げ面からなっている請求項１に記載の床の構造。
【請求項３】
前記角材の床仕上げ面のうちの少なくとも二面が同じ床仕上げ面からなっている請求項２に記載の床の構造。
【請求項４】
前記角材の床仕上げ面のうちの少なくとも二面が異なる床仕上げ面からなっている請求項２又は３に記載の床の構造。
【請求項５】
角材からなり、多数本横向きで並列状態に並べられて床を形成するのに用いられる床材であって、
周囲四面のうちの少なくとも二面が床仕上げ面からなっていることを特徴とする床材。
【発明の詳細な説明】
【技術分野】
【０００１】
本発明は、床の構造及び床材に関する。
【背景技術】
【０００２】
例えば、住宅等の建物におけるフローリング床に関し、そのリフォームは、従来より、接着剤で固定されている床材を剥がして新たな床材を貼り直すことなどによって行われている。
【発明の開示】
【発明が解決しようとする課題】
【０００３】
しかしながら、接着剤で固定されている床材を剥がしていく作業は非常に厄介であるという問題がある。また、剥がした床材は廃材として処分される一方で、新たな床材に高いコストがかかってしまうという問題もある。
【０００４】
本発明は、上記のような問題点に鑑み、床材を、しっかりとした固定状態にして設置することができると共に、容易に取外し可能な状態にすることができる床の構造を提供することを課題とする。また、廃材の発生を減少することができてリフォームをコスト的に有利に行うことができる床の構造及び床材を提供することも課題とする。
【課題を解決するための手段】
【０００５】
上記の課題は、多数本の角材が横向きで並列状態に並べられ、これら角材が、個々に固定されることなく、金具で両側から締め合わされることにより固定されており、該金具を緩めることによって各角材を固定状態からフリーにすることができるようになされていることを特徴とする床の構造によって解決される。
【０００６】
この床構造では、多数本の角材が横向きで並列状態に並べられ、これら角材が、個々に固定されることなく、金具で両側から締め合わされることにより固定されて設置されているので、この固定設置状態において個々の角材が個々に取れてしまうというようなことがなく、床材たる個々の角材をしっかりとした固定状態に設置することができる。
【０００７】
しかも、各角材は個々に固定されている訳ではないので、固定設置状態において、金具を緩めれば、各角材は固定状態からフリーになり、そのため、各角材を容易に取外し可能な状態にすることができる。
【０００８】
前記各角材の周囲四面のうちの少なくとも二面が床仕上げ面からなっている場合は、床のリフォームにおいて、角材を回転し、残る他の仕上げ面を上にして再使用することができ、それにより、廃材の発生を減少することができてリフォームをコスト的に有利に行うことができる。この作用効果は、角材からなり、多数本横向きで並列状態に並べられて床を形成するのに用いられる床材であって、
周囲四面のうちの少なくとも二面が床仕上げ面からなっていることを特徴とする床材においても奏される。
【０００９】
そして、上記の床構造及び床材において、角材の床仕上げ面のうちの少なくとも二面が同じ床仕上げ面からなっている場合は、いずれかあるいは全部の角材の上面にキズがついたり、劣化したときなどに、角材を回転し残る他の仕上げ面を上にすることで、同じ床面を再生することができ、しかもそれを、金具を緩め、角材を回転し、締付け直すという簡単な作業で行うことができる。
【００１０】
また、角材の床仕上げ面のうちの少なくとも二面が異なる床仕上げ面からなっている場合は、床面の意匠的形態を変更しようとする場合に、いずれかあるいは全部の角材を回転し、残る他の仕上げ面を上にすることで、意匠的形態の異なる床面に変更することができ、しかもそれを、金具を緩め、角材を回転し、締付け直すという簡単な作業で行うことができる。
【発明の効果】
【００１１】
本発明は、以上のとおりのものであるから、床材を、しっかりとした固定状態にして設置することができると共に、容易に取外し可能な状態にすることができる。また、廃材の発生を減少することができてリフォームをコスト的に有利に行うことができる。
【発明を実施するための最良の形態】
【００１２】
次に、本発明の実施最良形態を図面に基づいて説明する。
【００１３】
図１及び図２に示す実施形態の床構造において、１…は床材としての角材、２…は金具、３は床材支承部である。
【００１４】
本実施形態では、各角材１は、例えば１０ｃｍ角程度の断面正方形状の内部仕切り付き中空人工木材からなっており、図２（ロ−１）（ロ−２）に示すように、四面１ａ，１ｂ，１ｃ，１ｄのすべてが床仕上げ面に形成されていて、かつ、各面１ａ，１ｂ，１ｃ，１ｄは互いに意匠形態の異なる床仕上げ面からなっている。意匠形態は、模様、色などに関するもので、例えば、一面がダークオーク、他の一面がナチュラルライト、更に他の一面がミディアムオークなどというように異ならせられている。もちろん、木ないし木類似の場合に、その素地も床仕上げ面とする場合があってよい。なお、角材１の端部が外に露出するような場合は蓋で塞いでおくのもよい。
【００１５】
床は、図１（イ）（ロ）及び図２（イ）に示すように、この角材１が多数本、横向きで並列状態に並べられて床梁などの床材支承部３に支承され、これら角材１…が個々に固定されることなく金具２…で両側から締め合わされて一括固定されることによって形成されていて、該金具２…を緩めることによって各角材１…を固定状態からフリーにすることができるようになされている。
【００１６】
なお、金具２…は、例えば、床材支承部３に固定されるアングル型のベース２ａの立ち上がりに螺進機構２ｂを設け、該螺進機構２ｂに押し板２ｃを設けたものなどが用いられる。また、角材１…の並列方向の両側にそれぞれこのような金具２を設置し、両金具２…で角材１…を締め合わせるようにしてもよいし、角材１…の並列方向のいずれか一方の側を単純当接部とし、もう一方に上記のような金具２を設置して角材１…を両側から締め合わせるようにしてもよい。なお、金具２の操作は工具を用いて行えばよい。
【００１７】
この床構造では、横向きで並列状態に並べられた多数本の角材１…が、個々に固定されることなく、金具２…で両側から締め合わされることにより固定されて設置されているので、この固定設置状態において個々の角材１…が個々に取れてしまうというようなことがなく、各角材１…をしっかりとした固定状態に設置することができる。
【００１８】
こうして形成された床面４のリフォームを行う場合は、図３（イ）に示すように、まず、金具２…を緩める。この操作を行うだけで、各角材１…は、個々に固定されている訳ではないので、固定状態からフリーになり、個々に取り外せる状態になる。
【００１９】
しかる後、図３（ロ）に示すように、必要に応じて角材１を１，２本抜き、次いで、図３（ハ）及び図４（ニ）に示すように、床材支承部３に支承されている角材１…を他の仕上げ面が上になるように床材支承部３上で次々に転がしていき、そして、図４（ホ）に示すように、先ほど抜いた角材１を他の仕上げ面が上になるようにしてあいたところに差し込み、最後に、図４（ヘ）に示すように、金具２…でこれら角材１…を両側から締め合わせる。こうして、意匠的形態の異なる新たな床面５が形成される。
【００２０】
このように、上記のような床構造によれば、金具２…を緩め、各角材１…を回転して新たな仕上げ面を上にし、そして金具２…を締めるだけで床をリフォームすることができ、リフォームが非常に容易である。しかも、本実施形態では、角材１の各面１ａ，１ｂ，１ｃ，１ｄが床仕上げ面からなっているので、既存の角材１…を再使用してリフォームを行うことができ、廃材の発生を少なくすることができ、また、リフォームをコスト的に有利に行うことができる。とりわけ、本実施形態では、角材１の四面１ａ，１ｂ，１ｃ，１ｄがそれぞれ異なる床仕上げ面からなっているので、上記のようなリフォームを後二回行うことができ、しかも、リフォームを行うごとに意匠的形態の異なる床面を形成することができる。
【００２１】
図２（ハ）に示す角材１は、少なくとも二面１ａ，１ｂが同じ床仕上げ面からなっている。このような角材１を用いて、上記と同様な床構造を形成した場合は、床を構成するいずれか一部あるいは全部の角材の上面にキズがついたり、劣化したときなどに、その角材１…を回転し、残る他の仕上げ面を上にすることで、同じ床面を再生することができ、床の再生を容易にかつコスト的有利に行うことができる。
【００２２】
以上に、本発明の実施形態を示したが、本発明はこれに限られるものではなく、発明思想を逸脱しない範囲で各種の変更が可能である。例えば、角材は、床仕上げ面が同じか異なるかにかかわらず、少なくとも二面が床仕上げ面で構成されていればよい。
【００２３】
また、角材の三面又は四面が床仕上げ面からなる場合に、同じ意匠的形態の床仕上げ面を二面以上にし、残る一面以上をそれとは異なる意匠形態の床仕上げ面にするようにしてもよく、その場合には、床面を同じ意匠的形態の床面に再生することもできるし、意匠的形態の異なる床面にリフォームすることもできる。
【００２４】
また、上記の実施形態では、角材１が、断面正方形状である場合を示しているが、断面長方形状であってもよく、その場合には、床仕上げ面は、周方向の四面のうちの少なくとも対面する二面を床仕上げ面とすれば、床幅に影響を与えることなく床面の再生やリフォームを行うことができる。また、断面長方形状である場合に、周方向の四面のうちの少なくとも隣り合う二面を床仕上げ面とした場合であっても、使用する角材の本数を調整するなどして床幅に影響を与えることなく床面の再生やリフォームを行うことができる。
【００２５】
更に、上記の実施形態では、角材が、１０ｃｍ角程度の断面正方形状の内部仕切り付き中空人工木材からなっているが、寸法に制限はないし、材質についても制限はなく、木などであってもよいし、中実材からなっていもよい。
【図面の簡単な説明】
【００２６】
【図１】実施形態の床構造を示すもので、図（イ）は正面図、図（ロ）は平面図である。
【図２】図（イ）は同斜視図、図（ロ−１）及び図（ロ−２）は床材である角材の斜視図、図（ハ）は角材の変更例を示す斜視図である。
【図３】図（イ）〜図（ハ）は、図４（ニ）〜（ヘ）とともに、床のリフォーム方法の一例を順次に示す正面図である。
【図４】図（ニ）〜（ヘ）は、図３（イ）〜（ハ）とともに、床のリフォーム方法の一例を順次に示す正面図である。
【符号の説明】
【００２７】
１…角材（床材）
１ａ，１ｂ，１ｃ，１ｄ…床仕上げ面
２…金具
３…床材支承部
【図１】
2005105615.tif 000003
【図２】
2005105615.tif 000004
【図３】
2005105615.tif 000005
【図４】
2005105615.tif 000006